(57)【要約】      （修正有）【課題】単極対形の磁気ドラムの一回転に亘って正確に絶対回転角度を特定可能な磁気式の回転角検出装置を提供する。【解決手段】磁気センサ８ａは、磁気ドラムの絶対回転角度０°からの一回転に伴う磁界の変化を、絶対回転角度の増加に応じて最低電圧まで降圧し、続く絶対回転角度の増加に応じて最低電圧から最高電圧まで昇圧し、更に続く絶対回転角度の増加に応じて最高電圧から降圧するような出力電圧Ｖａの変化に変換する。磁気センサ８ｂは、前記磁界の変化を出力電圧Ｖａの降圧する絶対回転角度の範囲で絶対回転角度の増加に応じて昇圧するように磁気センサ８ａの出力電圧変化に対して位相差をもった出力電圧Ｖｂの変化に変換する。コンピュータ８ｃは、リアルタイムに入力された出力電圧Ｖａ，Ｖｂと、予めメモリ部８ｄに記憶済みの出力電圧Ｖａ，Ｖｂ、絶対回転角度間の関係に基づいて絶対回転角度を求める。【選択図】図１
2020165665.tif 000002
【特許請求の範囲】
【請求項１】
径方向に着磁された単極対形の磁気ドラムと、
前記磁気ドラムの絶対回転角度０°からの一回転に伴う磁界の変化を、前記磁気ドラムの絶対回転角度の増加に応じて最低電圧まで降圧する第一区間の出力電圧変化と、続く絶対回転角度の増加に応じて最低電圧から最高電圧まで昇圧する第二区間の出力電圧変化と、更に続く絶対回転角度の増加に応じて最高電圧から降圧する第三区間の出力電圧変化とに変換する第一系統の磁気センサと、
前記磁気ドラムの絶対回転角度０°からの一回転に伴う磁界の変化を、前記第一区間及び前記第三区間の出力電圧変化を成す絶対回転角度の範囲で絶対回転角度の増加に応じて昇圧するように前記第一系統の磁気センサの出力電圧変化に対して位相差をもった出力電圧変化に変換する第二系統の磁気センサと、
前記第一系統の磁気センサの出力電圧と前記第二系統の磁気センサの出力電圧との関係に基づいて前記磁気ドラムの絶対回転角度を求めるコンピュータと、
を備える回転角検出装置。
【請求項２】
前記コンピュータが、前記第一系統の磁気センサの出力電圧と前記第二系統の磁気センサの出力電圧と前記磁気ドラムの絶対回転角度との関係を予め記憶しているメモリ部と、リアルタイムに出力される前記第一系統の磁気センサの出力電圧及び前記第二系統の磁気センサの出力電圧を前記メモリ部に照合し、その照合結果に基づいて対応の前記磁気ドラムの絶対回転角度を求める演算部と、を有する請求項１に記載の回転角検出装置。
【請求項３】
前記第一系統の磁気センサの出力電圧変化と前記第二系統の磁気センサの出力電圧変化との位相差が９０°に設定されている請求項１又は２に記載の回転角検出装置。
【請求項４】
前記第一系統の磁気センサと前記第二系統の磁気センサが、それぞれ前記磁気ドラムの回転に伴う磁界の変化を三角波状の出力電圧変化に変換するものである請求項１から３のいずれか１項に記載の回転角検出装置。
【請求項５】
軸方向両側に開口した筒状のハウジング本体と、
前記ハウジング本体の一方側の開口を閉じる蓋と、
前記蓋と軸方向に対向する一端面と、前記ハウジング本体の他方側の開口から露出する他端面とを有する軸と、
前記ハウジング本体に対して前記軸を回転自在に支持する軸受と、
前記蓋の内部側に固定された回路基板と、
前記回路基板に実装されたセンサＩＣと、
をさらに備え、
前記磁気ドラムが、前記軸の一端面上に同軸に配置されており、
前記センサＩＣが、前記第一系統の磁気センサと前記第二系統の磁気センサと前記コンピュータとを含んでいる請求項１から４のいずれか１項に記載の回転角検出装置。
【発明の詳細な説明】
【技術分野】
【０００１】
この発明は、絶対回転角度を検出するために使用される回転角検出装置に関する。
【背景技術】
【０００２】
一般に、建設機械のアームやブーム、ロボットアームのように軸線回りに回転する可動体では、その駆動制御、状態監視等のため、その回転角度の測定が行われている。その回転角度の検出として、ポテンショメータや磁気式の回転角検出装置が使用されている。
【０００３】
一般に、回転角検出装置からの出力は、回転角度を示す電気信号である。その出力方式としては、インクリメンタル方式と、アブソリュート方式がある。インクリメンタル方式では、検出開始時点からの相対回転角度を検出することができ、アブソリュート方式では、一定の原点（０°位置）からの絶対回転角度を検出することができる。ロボットアーム等の可動体では、起動時に初期化が不要なアブソリュート方式が適する。
【０００４】
例えば、特許文献１に開示されたポテンショメータは、回転軸の端面にブラシを取付け、対向する固定側に電気抵抗体基板を取り付け、電気抵抗体を円周方向の一部が欠けた有端リング状とし、その電気抵抗体の両端に端子を設け、電気抵抗体と同心円状に無端リングを設け、その無端リングの一部に端子を設けた構造であって、電気抵抗体の表面をブラシが摺動することにより、電気抵抗の変化に対応した電圧が出力されるようになっている。この種のポテンショメータでは、電気抵抗の変化を有端リング状の電気抵抗体にて発生させるため、回転角度の検出範囲が限定されることになり、３６０°以上の広範囲の回転角度検出を行うことができない。
【０００５】
一方、３６０°以上の広範囲の回転角度検出に対応可能な磁気式の回転角検出装置として、径方向に着磁された単極対形の磁気ドラムと、磁気ドラムと軸方向に対向する位置に配置された磁気センサとを備え、磁気センサが磁気ドラムの回転に伴う磁界の変化を電気的な信号に変換し、その信号に基づいて回転角度を求めるものがある（例えば、特許文献２）。
【０００６】
前述の磁気センサとしては、磁気ドラムの回転に伴う磁界の変化を軸線回りに９０度の位相差をもった二相のアナログ信号（ｓｉｎ信号，ｃｏｓ信号）に変換するセンサアレイと、それらｓｉｎ信号，ｃｏｓ信号のＡ／Ｄ変換を行うＡ／Ｄコンバータと、Ａ／Ｄ変換されたｃｏｓθの関数とｓｉｎθの関数から逆三角関数であるａｒｃｔａｎ関数を演算して出力する演算回路とを含み、その演算結果に基づく出力電圧を生成するセンサチップが一般的である。
【先行技術文献】
【特許文献】
【０００７】
【特許文献１】特許第３９４２８０１号公報
【特許文献２】特開２０１０−６６２２２号公報
【発明の概要】
【発明が解決しようとする課題】
【０００８】
前述のような磁気センサの出力電圧は、図６に示すように、磁気ドラムが絶対回転角度０°から３６０°までの全範囲で、その絶対回転角度の増加に比例的に（一次関数で又は一次関数に近似して）変化することが理想的である。
【０００９】
しかしながら、実際には、図７に示すように、磁気センサの出力電圧は、絶対回転角度３６０°（０°）付近で急激に変化する。すなわち、磁気ドラムの絶対回転角度０°からの一回転において、磁気センサの出力電圧は、磁気ドラムの絶対回転角度０°からの絶対回転角度の増加に比例的に最低電圧まで降圧し（第一区間の出力電圧変化）、続く絶対回転角度の増加に比例的に最低電圧から最高電圧まで昇圧し（第二区間の出力電圧変化）、更に続く絶対回転角度の増加に比例的に最高電圧から降圧する（第三区間の出力電圧変化）ように変化し、一回転を超える場合、第一区間から第三区間の出力電圧変化の順に繰り返すことになる。なお、図７のグラフでは、横軸（絶対回転角度）の３６０°（０°）付近（第一区間及び第三区間）だけスケールを変更し、３６０°付近での出力電圧変化を拡大して表示している。
【００１０】
したがって、磁気ドラムの絶対回転角度３６０°（０°）付近の僅かな絶対回転角度の範囲においては、磁気センサの出力電圧の電圧値が、第二区間の出力電圧変化を成す絶対回転角度の範囲における電圧値と同じ値を示すことになる。このため、磁気ドラムの絶対回転角度３６０°（０°）付近では、磁気センサの出力電圧から磁気ドラムの絶対回転角度を正確に特定することができず、磁気センサの分解能は、その第一区間及び第三区間を成す絶対回転角度の角度幅よりも大きな角度に限定される問題がある。
【００１１】
上述の背景に鑑み、この発明が解決しようとする課題は、単極対形の磁気ドラムの一回転に亘って正確に絶対回転角度を特定可能な磁気式の回転角検出装置にすることである。
【課題を解決するための手段】
【００１２】
上記の課題を達成するため、この発明は、径方向に着磁された単極対形の磁気ドラムと、前記磁気ドラムの絶対回転角度０°からの一回転に伴う磁界の変化を、前記磁気ドラムの絶対回転角度の増加に応じて最低電圧まで降圧する第一区間の出力電圧変化と、続く絶対回転角度の増加に応じて最低電圧から最高電圧まで昇圧する第二区間の出力電圧変化と、更に続く絶対回転角度の増加に応じて最高電圧から降圧する第三区間の出力電圧変化とに変換する第一系統の磁気センサと、前記磁気ドラムの絶対回転角度０°からの一回転に伴う磁界の変化を、前記第一区間及び前記第三区間の出力電圧変化を成す絶対回転角度の範囲で絶対回転角度の増加に応じて昇圧するように前記第一系統の磁気センサの出力電圧変化に対して位相差をもった出力電圧変化に変換する第二系統の磁気センサと、前記第一系統の磁気センサの出力電圧と前記第二系統の磁気センサの出力電圧との関係に基づいて前記磁気ドラムの絶対回転角度を求めるコンピュータと、を備える回転角検出装置に構成した。
【００１３】
上記構成によれば、第一系統の磁気センサの出力電圧が第一区間又は第三区間の出力電圧変化を成すとき（磁気ドラムの絶対回転角度が３６０°（０°）付近のとき）、第一系統の出力電圧のみに基づいて絶対回転角度を特定することは不可である。このとき、第一系統の出力電圧変化に対して位相差をもった出力電圧変化に変換する第二系統の磁気センサの出力電圧は、磁気ドラムの絶対回転角度に応じて増加する。このため、第一系統の出力電圧と、第二系統の出力電圧との関係に基づけば、その関係を知るコンピュータにより、磁気ドラムの一回転に亘って絶対回転角度を正確に求めることができる。
【００１４】
具体的には、前記コンピュータが、前記第一系統の磁気センサの出力電圧と前記第二系統の磁気センサの出力電圧と前記磁気ドラムの絶対回転角度との関係を予め記憶しているメモリ部と、リアルタイムに出力される前記第一系統の磁気センサの出力電圧及び前記第二系統の磁気センサの出力電圧を前記メモリ部に照合し、その照合結果に基づいて対応の前記磁気ドラムの絶対回転角度を求める演算部と、を有するとよい。このようにすると、リアルタイムで出力される第一系統の出力電圧及び第二系統の出力電圧をコンピュータでメモリ部と照合し、記憶されている関係性から両系統の出力電圧の電圧値に対応の絶対回転角度を特定することができる。
【００１５】
前記第一系統の磁気センサの出力電圧変化と前記第二系統の磁気センサの出力電圧変化との位相差は、例えば、９０°に設定されている。
【００１６】
前記第一系統の磁気センサと前記第二系統の磁気センサは、例えば、それぞれ前記磁気ドラムの回転に伴う磁界の変化を三角波状の出力電圧変化に変換するものである。
【００１７】
軸方向両側に開口した筒状のハウジング本体と、前記ハウジング本体の一方側の開口を閉じる蓋と、前記蓋と軸方向に対向する一端面と、前記ハウジング本体の他方側の開口から露出する他端面とを有する軸と、前記ハウジング本体に対して前記軸を回転自在に支持する軸受と、前記蓋の内部側に固定された回路基板と、前記回路基板に実装されたセンサＩＣと、をさらに備え、前記磁気ドラムが、前記軸の一端面上に同軸に配置されており、前記センサＩＣが、前記第一系統の磁気センサと前記第二系統の磁気センサと前記コンピュータとを含んでいるとよい。このようにすると、センサＩＣの実装で第一、第二系統の磁気センサやコンピュータを回路基板上にまとめて配置することができ、また、蓋と軸受と軸とハウジング本体による位置決めでセンサＩＣと磁気ドラムを適切に対向配置させた状態にユニット化された回転角検出装置にすることができる。
【発明の効果】
【００１８】
上述のように、この発明は、上記構成の採用により、単極対形の磁気ドラムの一回転に亘って正確に絶対回転角度を検出可能な磁気式の回転角検出装置にすることができる。
【図面の簡単な説明】
【００１９】
【図１】この発明の実施形態に係る回転角検出装置に備わるセンサＩＣの機能ブロック図
【図２】この発明の実施形態に係る回転角検出装置の全体構成を示す断面図
【図３】図１のセンサＩＣと磁気ドラムとの位置関係を示す概念図
【図４】図１の第二系統の磁気センサの出力電圧と絶対回転角度との関係を示すグラフ
【図５】図１の第一系統の磁気センサの出力電圧と第二系統の磁気センサの出力電圧間の位相差と絶対回転角度との関係を示すグラフ
【図６】磁気センサ（第一系統の磁気センサ）の出力電圧と絶対回転角度との理想的な関係を示すグラフ
【図７】磁気センサ（第一系統の磁気センサ）の出力電圧と絶対回転角度との実際的な関係を示すグラフ
【発明を実施するための形態】
【００２０】
この発明の一例としての実施形態に係る回転角検出装置を添付図面に基づいて説明する。
【００２１】
図２に示すように、実施形態に係る回転角検出装置は、ハウジング本体１と、ハウジング本体１に取り付けられた蓋２と、ハウジング本体１の内方に配置された軸３と、ハウジング本体１に対して軸３を回転自在に支持する軸受４，５と、軸３と一体かつ同心に回転可能に配置された磁気ドラム６と、蓋２の内部側に固定された回路基板７と、回路基板７に実装されたセンサＩＣ８と、を備える。
【００２２】
ここで、軸方向は、軸３の回転軸線に沿った方向のことをいう。以下、径方向は、軸３の回転軸線に対して直角な方向のことをいい、周方向は、軸３の回転軸線回りの円周方向のことをいう。
【００２３】
ハウジング本体１は、軸方向両側に開口した筒状である。ハウジング本体１は、相対回転する二部材（図示省略）の一方との連結に用いられるフランジ１ａを有する。フランジ１ａには、その連結に使用する軸方向の貫通孔１ｂが周方向の複数箇所に形成されている。
【００２４】
蓋２は、ハウジング本体１の一方側の開口を閉じるカップ状である。蓋２は、ハウジング本体１の一方側に形成された凹部１ｃに嵌合され、凹部１ｃとボルトで締結されている。
【００２５】
ハウジング本体１と蓋２との締結面間は、シール９で密封されている。シール９は、Ｏリングを例示している。ハウジング本体１の他方側には、軸３とハウジング本体１との間をシールするオイルシール１０が設けられている。更に、ハウジング本体１の他方側の側面には、軸３の外周直近まで延びるシールワッシャ１１が取り付けられている。これらシール構造は、外部からの異物侵入を防止するためのものである。
【００２６】
軸３は、蓋２と軸方向に対向する一端面３ａと、ハウジング本体１の他方側の開口から露出する他端面３ｂとを有する。軸３の他端面３ｂから軸方向一方側に向かって複数のタップ穴３ｃが形成されている。タップ穴３ｃは、前述の相対回転する二部材の他方との連結に用いられる。
【００２７】
軸受４，５は、ハウジング本体１の軸方向中央付近に一定の間隔で配置されている。軸受４，５は、それぞれ深溝玉軸受からなる。これら二列の軸受４，５は、ハウジング本体１の他方側に形成された肩部１ｄと、軸３の軸方向中間部に形成された軸肩部３ｄと、蓋２とにより径方向及び軸方向に位置決めされている。なお、蓋２をハウジング本体１に締結することにより、軸受４，５に予圧が与えられている。
【００２８】
磁気ドラム６は、径方向に着磁された単極対形、すなわち、径方向に着磁された単極対で磁界を発生するものであり、永久磁石の単体、又は永久磁石と強磁性材の複合体からなる。磁気ドラム６で発生する磁界は、周方向に異方性を有する。図示例の磁気ドラム６は、単体の円板状の永久磁石からなり、半円板状のＮ極とＳ極とを有する。
【００２９】
磁気ドラム６は、磁石ホルダ１２の中央部に保持されている。磁石ホルダ１２の外周は、磁気ドラム６と軸３を所定の同軸度に配置するため、一方側の軸受５の内輪の内周に嵌合されている。磁気ドラム６を保持する磁石ホルダ１２は、軸３の一端面３ａにねじ止めされている。これにより、磁気ドラム６は、軸３の一端面３ａ上に同軸に配置され、軸３と一体に周方向の右回り及び左回りのいずれにも回転可能に固定されている。
【００３０】
なお、軸３は、磁気ドラム６の磁束の流れを安定させるため、強磁性体（軟質磁性体又は硬質磁性体）であることが好ましい。また、磁石ホルダ１２は、磁気ドラム６の磁束の流れを妨げないようにするため、非磁性体であることが好ましく、特に安価な熱可塑性樹脂であることが好ましい。磁気ドラム６を構成する永久磁石としては、例えば、フェライト系を採用することが可能である。
【００３１】
回路基板７は、カップ状の蓋２の内部側に形成された凹部２ａに嵌合され、さらにねじ止めされている。回路基板７としては、例えば、ガラス入りエポキシ樹脂製のものを採用することが可能である。
【００３２】
センサＩＣ８は、回路基板７の他方側の板面上に表面実装されている。複数本の電線１５のそれぞれの一端部は、回路基板７に接続されている。複数本の電線１５として、センサＩＣ８への供給電源用１本、ＧＮＤ用１本、センサＩＣ８の出力送信用２本が使用されている。各電線１５は、蓋２に形成された貫通孔２ｂに通されており、各電線１５の他端部は、中継コネクタ１３に接続されている。
【００３３】
モールド樹脂１４が貫通孔２ｂの隙間に充填され、また、回路基板７の通電部を覆っている。モールド樹脂１４としては、例えば、シリコン樹脂、ウレタン樹脂、及びエポキシ樹脂の中の少なくとも１種を採用することが可能である。
【００３４】
センサＩＣ８は、図１に示すように、第一系統の磁気センサ８ａと、第二系統の磁気センサ８ｂと、コンピュータ８ｃとを１パッケージに含んだ集積回路からなる。
【００３５】
図３に示すように、第一系統の磁気センサ８ａは、磁気ドラム６の半円側と軸方向に対向するように配置され、第二系統の磁気センサ８ｂは、第一系統の磁気センサ８ａとは反対側の磁気ドラム６の半円側と軸方向に対向するように配置されている。
【００３６】
第一系統の磁気センサ８ａは、磁気ドラム６の絶対回転角度０°からの一回転に伴う磁界の変化を、図７に示すように、０°からの絶対回転角度の増加に応じて最低電圧まで降圧する第一区間の出力電圧変化と、続く絶対回転角度の増加に応じて最低電圧から最高電圧まで昇圧する第二区間の出力電圧変化と、更に続く絶対回転角度の増加に応じて最高電圧から降圧する第三区間の出力電圧変化とに変換する集積回路部からなる。なお、同図において、第一区間は、０°（３６０°）〜０．２°であり、第二区間は、０．２°〜３５９．８°であり、第三区間は、３５９．８°〜３６０°（０°）である。
【００３７】
一方、図３に示す第二系統の磁気センサ８ｂは、第一系統の磁気センサ８ａと同様の回路構造をもった集積回路部からなり、また、第一系統の磁気センサ８ａとは周方向に異なる位置で磁気ドラム６と軸方向に対向する。このため、第二系統の磁気センサ８ｂは、磁気ドラム６の絶対回転角度０°からの一回転に伴う磁界の変化を、図４に示すように、０°からの絶対回転角度の増加に応じて最高電圧まで昇圧し、続く絶対回転角度の増加に応じて最高電圧から最低電圧まで降圧し、更に続く絶対回転角度の増加に応じて最低電圧から昇圧するような出力電圧の変化に変換することになる。すなわち、第二系統の磁気センサ８ｂの出力電圧は、第一系統の磁気センサ８ａの出力電圧に対して位相差をもち、かつアナログ信号として同等の波形を示す出力電圧変化になる。なお、図４のグラフでは、横軸（磁気ドラムの絶対回転角度）の第二系統の磁気センサ８ｂの出力電圧において最高電圧から最低電圧まで降圧する出力電圧変化を成す区間（絶対回転角度２７０°付近）だけスケールを変更し、この区間での出力電圧変化を拡大して表示している。
【００３８】
ここで、図５に、第一系統の磁気センサの出力電圧Ｖａと第二系統の磁気センサの出力電圧Ｖｂ間の相対的な位相差を示す。この位相差は、第一系統の磁気センサの出力電圧Ｖａが第一区間及び第三区間の出力電圧変化を成す絶対回転角度の範囲３５９．８°〜０．２°において、第二系統の磁気センサの出力電圧Ｖｂが絶対回転角度の増加に応じて昇圧するように設定されている。
【００３９】
図５では、第一系統の磁気センサの出力電圧Ｖａと第二系統の磁気センサの出力電圧Ｖｂ間の相対的な位相差が９０°に設定されている場合を例示している。なお、図５のグラフは、図４と図７を合成したものであり、横軸（磁気ドラムの絶対回転角度）の０°（３６０°）、２７０°付近だけスケールを変更し、これら付近での出力電圧変化を拡大して表示している。
【００４０】
図３に示す第一系統の磁気センサ８ａと第二系統の磁気センサ８ｂは、図５から明らかなように、それぞれ磁気ドラム６の回転に伴う磁界の変化を三角波状の出力電圧変化に変換するものである。このような磁気センサとしては、パッケージの内部に複数の磁電変換素子、例えばホール素子を内蔵したセンサアレイタイプのものであって、絶対回転角度に対する出力電圧の直線性を補正するものが挙げられる。この種の磁気センサは、様々なものが公知であるので、適宜に選択すればよい。一般に、この種の磁気センサは、ｃｏｓ相検出用回路部、ｓｉｎ相検出用回路部、ｃｏｓ相検出用回路部からの出力に基づいてアナログのｃｏｓ信号を生成するアンプ、ｓｉｎ相検出用回路部からの出力に基づいてアナログのｓｉｎ信号を生成するアンプ、アンプで生成されたアナログ信号をデジタル信号に変換する各Ａ／Ｄコンバータ及び、各Ａ／Ｄコンバータに接続される演算処理部、及び演算処理部で算出されたデジタル信号をアナログ信号に変換するＤ／Ａコンバータを備える。これら検出用回路部は、複数の磁電変換素子を備えるブリッジ回路で構成されており、磁気ドラムの回転に伴う磁界の変化に基づいて各検出用回路部の各出力端の電位が変動し、ｃｏｓ相検出用回路部から得られるアナログ出力と、ｓｉｎ相検出用回路部から得られるアナログ出力とでは位相が９０°ずれている。その演算処理部では、ｃｏｓ信号からＡ／Ｄ変換されたｃｏｓθの関数と、ｓｉｎ信号からＡ／Ｄ変換されたｓｉｎθの関数から、逆三角関数であるａｒｃｔａｎ関数が算出される。Ｄ／Ａコンバータは、演算処理部で算出されたデジタル信号のＤ／Ａ変換を行って出力電圧を生成する。演算処理部では、直線近似計算等による適宜の補正処理が行われ、これにより、磁気ドラムの絶対回転角度の変化に比例する出力電圧の変化、例えば、図７の第一区間と第三区間の範囲に亘る一次関数的な直線状の出力変化や、第二区間の範囲に亘る一次関数的な直線状の出力変化が得られるようになっている。
【００４１】
図１に示すように、第一系統の磁気センサ８ａと第二系統の磁気センサ８ｂは、出力電圧Ｖａ，Ｖｂをリアルタイムに同時出力する。それら出力電圧Ｖａ，Ｖｂは、図１に示すコンピュータ８ｃに入力される。コンピュータ８ｃは、不揮発性メモリに情報を記憶するメモリ部８ｄと、情報処理を行う演算部８ｅとを有する。メモリ部８ｄは、関係情報Ａ，Ｂを予め記憶している。演算部８ｅは、入力された第一系統の磁気センサ８ａの出力電圧Ｖａと関係情報Ａを照合する第一の照合部８ｆと、入力された第二系統の磁気センサ８ｂの出力電圧Ｖｂと関係情報Ｂを照合する第二の照合部８ｇと、これら照合部８ｆ，８ｇでの照合結果を比較して絶対回転角度を特定する比較部８ｈとを有する。
【００４２】
関係情報Ａは、第一系統の磁気センサ８ａの出力電圧Ｖａと絶対回転角度との対応関係を示す情報である。関係情報Ａは、第一の照合部８ｆで読み取り可能なグラフ（図７のグラフ相当）を示すデータ等としてメモリ部８ｄに予め記憶されている。関係情報Ｂは、第二系統の磁気センサ８ｂの出力電圧Ｖｂと絶対回転角度との対応関係を示す情報である。関係情報Ｂは、第二の照合部８ｇで読み取り可能なグラフ（図４のグラフ相当）を示すデータ等としてメモリ部８ｄに予め記憶されている。このような情報は、予め前述の対応関係を実験的に求め、メモリ部８ｄに書き込まれる。なお、グラフ読み取りに代えて、同様の対応関係をテーブル形式で保持してもよい。
【００４３】
第一の照合部８ｆは、第一系統の磁気センサ８ａの出力電圧Ｖａが入力されると、その電圧値を読み取り、その電圧値をメモリ部８ｄから呼び出した関係情報Ａと照合し、その照合結果を比較部８ｈに通知する。
【００４４】
第二の照合部８ｇは、第二系統の磁気センサ８ｂの出力電圧Ｖｂが入力されると、その電圧値を読み取り、その電圧値に基づいて関係情報Ｂから対応の絶対回転角度を照合し、関係情報Ｂから求めた絶対回転角度を比較部８ｈに通知する。
【００４５】
比較部８ｈは、同タイミングで第一の照合部８ｆから入力された照合結果と第二の照合部８ｇから入力された照合結果とを比較して絶対回転角度に変換し、その変換した絶対回転角度を示す角度データを送出する。
【００４６】
ここで、図５から明らかなように、絶対回転角度３５９．８°〜０．２°の範囲においては、第一系統の磁気センサ８ａの出力電圧Ｖａが最高電圧（５Ｖ）から最低電圧（０Ｖ）まで降圧するが、第二系統の磁気センサ８ｂの出力電圧Ｖｂが昇圧する関係になる。その他の絶対回転角度の範囲においては、前述の関係が発生しない。このため、第一系統の磁気センサ８ａの出力電圧Ｖａが不安定な３６０°（０°）付近では、第二系統の磁気センサ８ｂの出力電圧Ｖｂが補完する関係にある（すなわち、絶対回転角度は、両出力電圧Ｖａ、Ｖｂを読み取って演算することで正確に特定することが可能である。）。
【００４７】
図１に示す比較部８ｈは、第一の照合部８ｆからの照合結果（図５において第一系統の磁気センサ８ａの出力電圧Ｖａの電圧値に対応の絶対回転角度）を基本として、第二の照合部８ｇからの照合結果（図５において第二系統の磁気センサ８ｂの出力電圧Ｖｂの電圧値に対応の絶対回転角度）と比較し、両者の関係から一の絶対回転角度を特定する。
【００４８】
例えば、図１、図５において、第一系統の磁気センサ８ａの出力電圧Ｖａが略２．５Ｖのとき、関係情報Ａから候補となる絶対回転角度は、略３６０°（０°）と、略１８０°である。このとき、第二系統の磁気センサ８ｂの出力電圧Ｖｂは略１．２Ｖであり、関係情報Ｂから候補となる絶対回転角度は、略３６０°（０°）と、略９０°である。比較部８ｈは、基本の第一系統の磁気センサ８ａの出力電圧Ｖａに対応の略３６０°（０°）と略１８０°のうち、第二系統の磁気センサ８ｂの出力電圧Ｖｂに対応の略３６０°（０°）と略９０°と一致する絶対回転角度略３６０°（０°）に特定する。
【００４９】
なお、メモリ部８ｄに予め記憶された第一系統の磁気センサ８ａの出力電圧Ｖａと第二系統の磁気センサ８ｂの出力電圧Ｖｂと磁気ドラム６の絶対回転角度との関係に基づけば、他のアルゴリズムで絶対回転角度を特定することも可能である。例えば、演算部８ｅは、入力された第一系統の磁気センサ８ａの出力電圧Ｖａが略２．５Ｖのとき、関係情報Ａから候補となる絶対回転角度が略３６０°（０°）又は略１８０°であることを知る。このとき、絶対回転角度が真に略３６０°（０°）である場合、第一系統の磁気センサ８ａの出力電圧Ｖａである略２．５Ｖと演算部８ｅに同時入力された第二系統の磁気センサ８ｂの出力電圧Ｖｂは略１．２Ｖとなり、絶対回転角度が真に略１８０°である場合、同時入力された第二系統の磁気センサ８ｂの出力電圧Ｖｂは略３．８Ｖとなる。演算部８ｅは、関係情報Ｂから絶対回転角度：略３６０°（０°）に対応の電圧値（略１．２Ｖ）と、略１８０°に対応の電圧値（略３．８Ｖ）とを読み取り、同時入力された第二系統の磁気センサ８ｂの出力電圧Ｖｂの電圧値（略１．２Ｖ又は略３．８Ｖ）と、関係情報Ｂから読み取った電圧値とが一致した対応の絶対回転角度に特定することができる。
【００５０】
また、第一系統の磁気センサ８ａの出力電圧Ｖａの電圧値と第二系統の磁気センサ８ｂの出力電圧Ｖｂの電圧値と絶対回転角度の値とをテーブル形式でメモリ部に保持する場合、演算部８ｅは、同時入力された第一系統の磁気センサ８ａの出力電圧Ｖａの電圧値と第二系統の磁気センサ８ｂの出力電圧Ｖｂの電圧値との組み合わせに対応のレコードをメモリ部のテーブルから検索し、該当するレコードに記述された絶対回転角度に特定することができる。
【００５１】
このように、実施形態に係る回転角検出装置は（図１、図３、図５参照）、第一系統の磁気センサ８ａの出力電圧Ｖａが第一区間又は第三区間の出力電圧変化を成すとき（磁気ドラム６の絶対回転角度が３６０°（０°）付近のとき）、第一系統の磁気センサ８ａの出力電圧Ｖａのみに基づいて絶対回転角度を特定することは不可であるが、第一系統の磁気センサ８ａの出力電圧Ｖａの変化に対して位相差をもった出力電圧変化に変換する第二系統の磁気センサ８ｂの出力電圧Ｖｂが磁気ドラムの絶対回転角度に応じて増加するため、第一系統の磁気センサ８ａの出力電圧Ｖａと第二系統の磁気センサ８ｂの出力電圧Ｖｂとの関係に基づき、その関係を知るコンピュータにより、磁気ドラム６の一回転に亘って絶対回転角度を正確に求めることができる。
【００５２】
したがって、実施形態に係る回転角検出装置は、第一系統の磁気センサ８ａの出力電圧Ｖａが最高電圧から最低電圧まで急激に降圧する絶対回転角度３６０°（０°）付近においても正確に絶対回転角度を検出することが可能なため、比較的単純な単極対形の磁気ドラム６を備えるものでありながら、より高い分解能を実現することができる。図５例では、絶対回転角度３５９．８°〜０．２°でも正確に絶対回転角度を検出することが可能なため、０．４°以下の分解能で絶対回転角度を検出することできる。
【００５３】
今回開示された各実施形態はすべての点で例示であって制限的なものではないと考えられるべきである。したがって、本発明の範囲は、特許請求の範囲によって示され、特許請求の範囲と均等の意味および範囲内でのすべての変更が含まれることが意図される。
【符号の説明】
【００５４】
１  ハウジング本体
２  蓋
３  軸
４，５  軸受
６  磁気ドラム
７  回路基板
８  センサＩＣ
８ａ  第一系統の磁気センサ
８ｂ  第二系統の磁気センサ
８ｃ  コンピュータ
８ｄ  メモリ部
８ｅ  演算部
８ｆ  第一の照合部
８ｇ  第二の照合部
８ｈ  比較部
【図１】
2020165665.tif 000003
【図２】
2020165665.tif 000004
【図３】
2020165665.tif 000005
【図４】
2020165665.tif 000006
【図５】
2020165665.tif 000007
【図６】
2020165665.tif 000008
【図７】
2020165665.tif 000009